(57)【要約】【課題】    扉のガタツキを抑えると同時にデザイン性も満たすことが可能な扉開閉構造、扉開閉構造を備える仏壇、及び、軸蝶番を提供する。【解決手段】  本体に設けられる穴２１ａに挿入される一端側挿入部５１ａと扉１０に設けられる穴１０ｂに挿入される他端側挿入部５１ｂとを有する軸部５１を回転軸として扉１０を本体に対して回動可能に連結する軸蝶番を備える扉開閉構造であり、軸部５１は、一端側挿入部５１ａと他端側挿入部５１ｂとの間に鍔状のプレート部５１ｃを備え、プレート部５１ｃは、扉１０に設けられる切欠き１０ａに勘合している。切欠きは本体に設けられても良い。【選択図】  図５
0003187275.tif 000002
【実用新案登録請求の範囲】
【請求項１】
開口部を有する本体と、前記開口部を開閉する一つ以上の扉と、前記本体に設けられる穴に挿入される一端側挿入部と前記扉に設けられる穴に挿入される他端側挿入部とを有する軸部を回転軸として前記扉を前記本体に対して回動可能に連結する軸蝶番を備える扉開閉構造において、
前記軸蝶番の軸部は、前記一端側挿入部と前記他端側挿入部との間に鍔状のプレート部を備え、
前記プレート部は、前記本体又は前記扉のいずれか一方に設けられる切欠き部に勘合していることを特徴とする扉開閉構造。
【請求項２】
前記プレート部の少なくとも一部が外部に露出することを特徴とする請求項１記載の扉開閉構造。
【請求項３】
前記プレート部は、外周が多角形であることを特徴とする請求項１又は請求項２記載の扉開閉構造。
【請求項４】
前記プレート部は前記扉の端部を被覆することを特徴とする請求項１乃至請求項３のいずれか一項記載の扉開閉構造。
【請求項５】
前記プレート部は、前記切欠き部に当接する面に凸部を有し、前記凸部は前記切欠き部に設けられる凹部に勘合していることを特徴とする請求項１乃至請求項４のいずれか一項記載の扉開閉構造。
【請求項６】
請求項１乃至請求項５のいずれか一項に記載の扉開閉構造を備える仏壇。
【請求項７】
回転軸となる軸部と、前記軸部の中途部に当該軸部と一体に設けられ外周面の少なくとも一部が外部に露出して装飾部となる鍔状のプレート部を備えることを特徴とする軸蝶番。
【考案の詳細な説明】
【技術分野】
【０００１】
本考案は、軸蝶番により回動自在に取り付けられた扉を備える扉開閉構造、それを備える仏壇、及び、その軸蝶番に関する。
【背景技術】
【０００２】
扉を開閉可能に取り付ける部材として、従来から軸蝶番が使用されている。下記特許文献１には、円柱形状の軸部材の一端が扉に固定され、他端が天板に設けられる軸受け又は地板に設けられる軸受けに係合することで、扉を開閉可能に構成した扉開閉構造を備える仏壇が開示されている。
【先行技術文献】
【特許文献】
【０００３】
【特許文献１】実用新案登録第３１６００３５号公報
【考案の概要】
【考案が解決しようとする課題】
【０００４】
上記のような軸蝶番を備える扉開閉構造は、扉の取付状態が不安定でガタツキが生じると、扉の開閉精度の低下や故障等の原因となる。一方、上記仏壇だけでなく、家具や扉付きケース、その他の扉開閉構造においては、デザイン性も重要な要素であることが多い。
【０００５】
しかしながら、特許文献１では、扉を取り付ける軸蝶番は外部に露出するものではないためデザインを損ねることはないが、円柱形状の軸部材は両端が扉に設けられる穴及び天板や地板に設けられる穴に挿入されるだけであるため、姿勢が不安定となり易く、扉のガタツキの原因となる。
【０００６】
本考案は、上記問題を解決するものであり、扉のガタツキを抑えると同時にデザイン性も満たすことが可能な扉開閉構造、それを備える仏壇、及び、軸蝶番を提供することを目的とする。
【課題を解決するための手段】
【０００７】
本考案の扉開閉構造は、開口部を有する本体と、前記開口部を開閉する一つ以上の扉と、前記本体に設けられる穴に挿入される一端側挿入部と前記扉に設けられる穴に挿入される他端側挿入部とを有する軸部を回転軸として前記扉を前記本体に対して回動可能に連結する軸蝶番を備える扉開閉構造において、前記軸蝶番の軸部は、前記一端側挿入部と前記他端側挿入部との間に鍔状のプレート部を備え、前記プレート部は、前記本体又は前記扉のいずれか一方に設けられる切欠きに勘合していることを特徴とする。
【０００８】
本考案によれば、軸蝶番の軸部は、一端側挿入部と他端側挿入部が本体と扉に設けられる穴に各々挿入されるだけでなく、一端側挿入部と他端側挿入部の間にあるプレート部が本体又は扉のいずれか一方に設けられる切欠きに勘合しているため、軸部の姿勢が安定し、扉のガタツキが抑えられる。プレート部は外部に露出する構成としたり、外部に露出しない構成としたりすることも自由であり、形状や装飾を様々にデザインすることも可能であるため、デザイン的な自由度も高い。
【考案の効果】
【０００９】
本考案によれば、軸蝶番のプレート部が本体又は扉のいずれか一方に設けられる切欠きに勘合しているため、軸部の姿勢が安定し、扉のガタツキが防止される。これにより、扉のガタツキに起因する開閉精度の低下や故障等が防止される。このプレート部は露出させたり、扉又は本体に埋め込んで隠蔽したり、形状や装飾を工夫したりすることも可能であるため、デザイン的な自由度も高い。したがって、扉のガタツキを抑えると同時にデザイン性も満たすことが可能な扉開閉構造、それを備える仏壇、及び、軸蝶番を提案することができる。
【図面の簡単な説明】
【００１０】
【図１】本考案の第一の実施の形態として示す仏壇の扉を閉じた状態における斜視図である。
【図２】上記実施の形態として示す仏壇の扉を開けた状態における斜視図である。
【図３】上記実施の形態として示す仏壇の下面図である。
【図４】上記実施の形態として示す仏壇に用いられる軸蝶番の軸部を示す図であり、（ａ）はその上面図、（ｂ）はその側面図、（ｃ）はその下面図である。
【図５】上記実施の形態として示す仏壇において扉と本体とを軸蝶番により連結した連結箇所を説明する拡大分解斜視図である。
【図６】本考案の第二の実施の形態として示す軸蝶番の軸部を示す図であり、（ａ）はその上面図、（ｂ）はその側面図、（ｃ）はその下面図、（ｄ）はそのＢ−Ｂ断面図である。
【図７】上記実施の形態として示す仏壇において扉と本体とを軸蝶番により連結した連結箇所を説明する拡大分解斜視図である。
【考案を実施するための形態】
【００１１】
（第一の実施の形態）
以下、本考案を適用した具体的な実施の形態について図面を参照しながら詳細に説明する。本実施の形態では、本考案の扉開閉構造を備える仏壇１００を例に説明する。図１は、仏壇１００の扉を閉じた状態の斜視図であり、図２は、仏壇１００の扉を開けた状態の斜視図であり、図３は、仏壇１００の下面図である。仏壇１００は、前面に開口部を有する本体２０と、開口部を開閉する左右の扉１０，１０とを備え、内部に位牌等の仏具が配置される箱形状の仏壇である。各扉１０，１０は、一端を軸として回動する両開き扉である。
【００１２】
本体２０は、天板２１、地板２２、及び三方の側面を覆う側板２３，２４，２５を備え、その前面のほぼ全体に開口部が形成されている。詳しくは、本体２０は、左右の側板２３，２５の背面側端面に側板２４が当接し、側板２３，２４，２５の上側端面に天板２１が当接し、下側端面に地板２２が当接している。天板２１及び地板２２の左右両端は、側板２３，２５よりも外側に突出しており、この突出した領域に後述する軸受けとしての穴が形成されている。
【００１３】
なお、地板２２の裏面には地板２２より一回り小さい板から構成される脚部３０が取り付けられている。また、天板２１、地板２２、及び各側板２３，２４，２５により構成される内側面には一回り小型の内側フレーム４０が配設されている。内側フレーム４０の開口端は、扉１０を閉じた状態において扉１０の裏面と当接する位置であり、扉１０のストッパーとしての機能も有している。扉１０と本体２０と内側フレーム４０は木製であるが、樹脂や金属等、材料は問わない。
【００１４】
扉１０，１０は、左右の側板２３，２５よりも前方、且つ、天板２１と地板２２の間に位置しており、開口部の左右両側において上側が軸蝶番５０により天板２１に連結され、下側が軸蝶番５０により地板２２に連結されている。
【００１５】
図４は、本実施の形態の軸蝶番５０の軸部５１を説明する図であり、（ａ）はその上面図、（ｂ）はその側面図、（ｃ）はその下面図である。軸部５１は、一端側に設けられる一端側挿入部５１ａと、他端側に設けられる他端側挿入部５１ｂと、中途部に設けられる鍔状のプレート部５１ｃとを備える。なお、この軸部５１の一端側挿入部５１ａが天板２１に設けられる軸受けとしての穴、又は、地板２２に設けられる軸受けとしての穴に挿入され、この軸受けと軸部５１とが軸蝶番５０としての機能を果たす。
【００１６】
軸部５１の一端側挿入部５１ａと他端側挿入部５１ｂは円柱形状であり、一端側挿入部５１ａがプレート部５１ｃの上面中央に位置し、他端側挿入部５１ｂがプレート部５１ｃの下面中央に位置している。プレート部５１ｃは、一端側挿入部５１ａと他端側挿入部５１ｂの間において回転軸に直交する方向に突出した鍔状となっており、外周が一端側挿入部５１ａ及び他端側挿入部５１ｂよりも一回り大きい矩形状を呈している。
【００１７】
なお、軸部５１は、継ぎ目無く一体的に形成されているが、各部材を接合して形成しても良い。また、軸部５１は金属製であるが、その他の適する材料であっても良い。金属の場合は旋盤加工、鋳造、塑性加工等により成形することが可能であり、その成形方法は問わない。
【００１８】
図５は、扉１０と本体２０の連結箇所の解斜視図である。なお、図中の点線は形状を説明するための説明線である。ここでは、仏壇１００における右上側の連結箇所（図１における点線で囲んだ箇所Ａ）を例に説明するが、他の連結箇所についてもほぼ同じである。ただし、下側の連結箇所については天板２１に代えて地板２２となる。
【００１９】
扉１０には角部をＬ字状に切欠いた切欠き１０ａが設けられている。この切欠き１０ａは、軸部５１のプレート部５１ｃと過不足なく勘合する形状であり、上面中央には軸蝶番５０の他端側挿入部５１ｂが挿入される穴１０ｂが設けられている。切欠き１０ａにプレート部５１ｃを勘合させると、プレート部５１ｃは下面及び左側側面がＬ字状の切欠き１０ａを構成する上面と側面に当接して外部から見えず、表側側面、右側側面、裏側側面、及び上面が外部に露出した状態となる。一方、天板２１には軸部５１の一端側挿入部５１ａが挿入される穴２１ａが設けられている。この穴２１ａは軸受けとしての機能を有しており、一端側挿入部５１ａとの摩擦を軽減するために内側面を平滑化したり、金属枠を設けて摩耗を防止したりしても良い。
【００２０】
連結状態においては、プレート部５１ｃが切欠き１０ａに勘合することにより軸部５１の姿勢が安定し、扉１０のガタツキが抑えられる。これにより、扉１０のガタツキに起因する開閉精度の低下や故障等を防止することができる。
【００２１】
また、プレート部５１ｃは、外部に露出する構成であるが、切欠き１０ａに過不足なく勘合する形状とすることで、扉１０の表面において凹凸がほぼ無いフラットな外観となり、扉１０とプレート部５１ｃとに一体感が出されて、すっきりとした美しいデザインを実現している。また、プレート部５１ｃはメッキや塗装、彫刻や模様等を施すことによってもデザイン性を向上させることができる。
【００２２】
また、プレート部５１ｃは外周が多角形状であるため、扉１０の回動に伴って軸部５１にトルクが生じても、軸部５１は軸受けとなる天板２１の穴２１ａで回転し、扉１０の穴１０ｂでは回転しない。これにより、天板２１の穴２１ａを軸受けとして加工すれば良く、扉１０の穴１０ｂに関しては工程や部品点数が削減される。
【００２３】
また、軸部５１のプレート部５１ｃは、扉１０の上側端面の端部を被覆する状態となる。これにより、扉１０の端部が保護され、衝撃等による欠損が防止される。
【００２４】
なお、本実施の形態において、軸部５１は扉１０や天板２１に接着されておらず、着脱が容易となっている。詳細には以下の通りである。仏壇１００の組み立てに際しては、天板２１と側板２３，２４，２５と内側フレーム４０を組み立てた後に、扉１０を軸部５１を介して天板２１に取り付ける。次いで、脚部３０が取り付けられた地板２２を配置し、脚部３０に設けられる穴３１，３１（図３参照）からネジ６０，６０を挿入してネジ止めする。穴３１，３１は、地板２２の裏面から内側フレームの途中まで連通して設けられるネジ孔（図示せず。）よりも広径であり、ネジ６０，６０をネジ孔に螺合すると、ネジ６０，６０の座面が地板２２に当接し、地板２２が内側フレーム４０に固定される。これにより、扉１０が天板２１と地板２２に狭持され、本体２０に取り付けられる。軸部５１の取り外しは、ネジ６０，６０を外して地板２２を取り外し、組み立てと逆の作業を順次行うことで可能である。これにより、軸部５１を交換したり、軸受けとなる穴２１ａに溜まる埃を清掃したりする等、メンテナンスが容易となる。
【００２５】
（第二の実施の形態）
図６は、第二の実施の形態の軸部５２を説明する図であり、（ａ）はその上面図、（ｂ）はその側面図、（ｃ）はその下面図、（ｄ）はＢ−Ｂ断面図である。なお、第一の実施の形態とほぼ同じ構成については同一の符号を用いて説明を省略する。軸部５２は、プレート部５１ｃの切欠き１０ａに当接する面に凸部５１ｄが形成されている。凸部５１ｄは、外周がプレート部５１ｃの外周よりも一回り小さく、且つ、他端側挿入部５１ｂの外周よりも一回り大きい矩形状を呈する。
【００２６】
図７は、軸部５２を左下側の連結箇所Ｃ（図１参照。）に適用したときの分解斜視図である。扉１０の切欠き１０ａはプレート部５１ｃに勘合する形状であり、凸部５１ｄに対応する位置に凹部１０ｃが形成されている。一方、地板２２には軸部５２の一端側挿入部５１ａが挿入される穴２２ａが設けられており、軸受けとしての機能を果たしている。
【００２７】
これにより、扉１０と地板２２の間に軸部５２を取り付けると、プレート部５１ｃの凸部５１ｄが切欠き１０ａの凹部１０ｃに勘合し、軸部５２の姿勢が更に安定する。
【００２８】
なお、本実施の形態においても、軸部５２は容易に着脱可能となっている。その構成は次の通りである。軸部５２の一端側挿入部５１ａには軸方向にネジ孔５１ｅが形成されている。また、地板２２の穴２２ａは地板２２の上面から下面まで貫通しており、下面側には上面側よりも広径の広径部２２ａ１を有し、上面側には広径部２２ａ１よりも小径の小径部２２ａ２を有している。地板２２の下面からネジ７０を穴２２ａに挿入して軸部５２のネジ孔５１ｅに螺合すると、ネジ７０の座面７０ａが広径部２２ａ１の上面と軸部５２の一端側挿入部５１ａの下面に当接し、地板２２と扉１０が連結される。ネジ７０を外すことにより、地板２２を取り外すことができ、軸部５２が着脱自在となる。
【００２９】
なお、地板２２と内側フレーム４０とを連結するネジ６０，６０がある場合は、このネジ６０，６０を着脱させることも必要であるが、ネジ７０を用いる場合は、ネジ６０，６０は不要としても良い。また、扉１０の開閉に際しては、軸部５２とともにネジ７０も回転することとなる。また、天板２１との連結箇所については、軸部５２のネジ孔５１ｅがないものを用い、ネジ７０によるネジ止めを行わなくても良い。
【００３０】
以上のように、上述した第一の実施の形態及び第二の実施の形態によれば、軸蝶番５０の軸部５１，５２に設けられるプレート部５１ｃが、扉１０に設けられる切欠き１０ａに勘合しているため、軸部５１，５２の姿勢が安定し、扉１０のガタツキを抑えられる。プレート部５１ｃはデザイン的な自由度が高く、その時々に応じた取付態様、装飾、形状等とすることで、デザイン性を満たすことも可能である。
【００３１】
なお、本考案は、上述した実施の形態に限定されるものではない。上記実施の形態では、プレート部やプレート部に設けられる凸部が矩形状の例を説明したが、例えば外周を円形としたり多角形としたり、その他の形状でも良い。プレート部が勘合する切欠きは、プレート部の形状に合わせて形成すれば良い。
【００３２】
また、上記実施の形態では、扉に切欠きを設けた例を説明したが、本体に切欠きを設けて軸蝶番の軸部を固定し、扉に軸受けとしての穴を設けても良い。
【００３３】
また、上記実施の形態では、軸蝶番のプレート部が扉の端部を被覆する構成を例に説明したが、扉の端部から間隔を設けてプレート部が配されるようにしても良い。
【００３４】
また、上記実施の形態では、プレート部の上面、及び、外周面のうち切欠きに当接しない三つの面を外部に露出させる例を説明したが、露出させる面はデザインに合わせて変更可能である。たとえば、表側側面のみを露出させたり、右側側面又は左側側面のみを露出させたり、上面のみを露出させたり、外周面の少なくとも一部が露出する構成としても良い。また、プレート部を扉又は本体に埋設させて外部に露出しない構成としても良い。
【００３５】
また、扉と本体との複数の連結箇所は、すべての連結箇所に同一の軸部を用いても良いし、異なる軸部を組み合わせて用いても良い。たとえば、天板との連結箇所には第一の実施の形態の軸部を用い、地板との連結箇所には第二の実施の形態の軸部を用いても良い。また、地板を着脱自在に取り付ける構成としては、第一の実施の形態のように地板と内側フレームとを連結しても良いし、第二の実施の形態のように軸部にネジを螺合させても良いし、その両方を用いても良いし、地板と側板をネジ止めする等、その他の構成としても良い。また、第一の実施の形態の軸部にネジ孔を形成しても良いし、プレート部に凸部を形成しても良い。
【００３６】
また、本実施の形態では、左右の側板よりも外側に軸部が位置しており、扉が左右の側板に当接する位置まで開くようになっているが、これに限られるものではなく、それ以下の開き角度であっても良い。また、扉は両開きではなく、片開きでも良く、開き方向は左右ではなく、上下であっても良い。また、開口は前面ではなく側面や上面に設けられ、その開口に扉が設けられても良い。また、扉は二枚に限らず、一枚又は二枚以上であっても良い。
【００３７】
また、上記実施の形態では、仏壇に適用した例を説明したが、扉付きの収納ケース、家具、厨子等、その他の扉開閉構造にも適用可能である。
【００３８】
このように、本考案は、その趣旨を逸脱しない範囲で適宜変更が可能であることはいうまでもない。
【符号の説明】
【００３９】
１００  仏壇
１０    扉
２０    本体
２１    天板
２２    地板
２３，２４，２５  側板
３０    脚部
４０    内側フレーム
５０    軸蝶番
５１    軸部
５１ａ  一方側挿入部
５１ｂ  他方側挿入部
５１ｃ  プレート部
５１ｄ  凹部
５１ｅ  ネジ孔
６０，７０  ネジ
【図１】
0003187275.tif 000003
【図２】
0003187275.tif 000004
【図３】
0003187275.tif 000005
【図４】
0003187275.tif 000006
【図５】
0003187275.tif 000007
【図６】
0003187275.tif 000008
【図７】
0003187275.tif 000009
【手続補正書】
【提出日】平成25年9月17日(2013.9.17)
【手続補正１】
【補正対象書類名】実用新案登録請求の範囲
【補正対象項目名】請求項７
【補正方法】変更
【補正の内容】
【請求項７】
開口部を有する本体と、前記開口部を開閉する一つ以上の扉と、前記本体に設けられる穴に挿入される一端側挿入部と前記扉に設けられる穴に挿入される他端側挿入部とを有する軸部を回転軸として前記扉を前記本体に対して回動可能に連結する軸蝶番を備える扉開閉構造に用いられる前記軸蝶番であり、
前記軸部は、前記一端側挿入部と前記他端側挿入部との間に鍔状のプレート部を備え、
前記プレート部は、前記本体又は前記扉のいずれか一方に設けられる切欠き部に勘合する形状であることを特徴とする軸蝶番。